(57)【要約】      （修正有）【課題】ＬＥＤ灯体のランプを簡単に、迅速に、安定的に放熱器上に接合できることにより、灯体の組立効率、使用効率および品質を向上させることができる放熱構造を有する灯体の構成構造を提供する。【解決手段】本体１０と放熱器２０とは、独立した部材であり、螺合方式により、一体に接合される。放熱器２０の上端の中心位置には、嵌合孔２３が形成され、嵌合孔２３の内壁の適当な位置には、係合部２４が設けられる。係合部２４には、ランプホルダ３０が嵌合固定される。ランプホルダ３０の一方の端部には、ランプ４０が固定され、ランプホルダ３０の他方の端部には、切欠溝３２が設けられる。ランプホルダ３０の外周面の適当な位置には、環状溝部３３が設けられる。ランプホルダ３０が嵌合孔２３内に嵌合されるとき、切欠溝３２により、ランプホルダ３０が弾性収縮する上、環状溝部３３が係合部２４に嵌合されることにより、迅速に、安定的に接合される。【選択図】図２
0003157583.tif 000002
【実用新案登録請求の範囲】
【請求項１】
本体を含み、前記本体の上端には、放熱器が配置され、前記放熱器の上端には、ランプホルダを介してランプが接合され、
前記放熱器の上端の中心位置には、嵌合孔が形成され、前記嵌合孔の内壁の適当な位置には、係合部が設けられ、前記係合部には、前記ランプホルダが嵌合固定され、前記ランプホルダの一方の端部には、前記ランプが固定され、前記ランプホルダの他方の端部には、切欠溝が設けられ、前記ランプホルダの外周面の適当な位置には、環状溝部が設けられ、前記ランプホルダが前記嵌合孔内に接合されるとき、前記切欠溝により、前記ランプホルダが弾性収縮する上、前記環状溝部が前記係合部の位置に嵌合されることにより、迅速に、安定的に接合されることを特徴とする放熱構造を有する灯体の構成構造。
【請求項２】
前記本体と前記放熱器とは、螺合方式により、一体に接合され、前記本体の一方の端部には、螺合部が突設され、前記放熱器の前記螺合部に対応する一方の端部の内縁には、螺孔部が形成され、前記螺合部が前記螺孔部内に接合されることにより、前記本体と、前記放熱器とが接合固定されることを特徴とする請求項１記載の放熱構造を有する灯体の構成構造。
【請求項３】
前記放熱器の外周には、複数のフィンが環状に配置され、前記各フィンの上端には、凹陥した位置決め部が形成され、環状に配列された前記位置決め部に前記ランプシェードが固定され、前記ランプシェードの上端に透光板および固定リングが配置されることにより、灯体が構成されることを特徴とする請求項１記載の放熱構造を有する灯体の構成構造。
【考案の詳細な説明】
【技術分野】
【０００１】
本考案は、灯具に関し、特に、放熱構造を有する灯体の構成構造に関する。
【背景技術】
【０００２】
近年のエネルギーコストの著しい上昇に伴い、省エネに関連する製品が次々に開発されている。その中で、ＬＥＤは、消費エネルギーが少ない、環境にやさしい、寿命が長い、色彩が豊かであるなどの長所を有するため、表示および照明の領域において広く応用されている。単一のＬＥＤでは、消費電量が極めて少ないが、発光する過程において発生する熱が蓄積されることにより、熱効果が発生し、ＬＥＤの発光能力および使用寿命が影響を受ける。特に、照明輝度を高めるために、ＬＥＤの発光パワーを増大させた場合、熱による影響は、さらに大きなものとなる。従って、ＬＥＤの放熱に対する要求は、極めて高く、放熱効率の良し悪しは、ＬＥＤ灯具の照明輝度を改善するための制約条件となっている。従って、一般に、照明として長時間使用されるＬＥＤ灯具には、放熱機構が配置され、チップが過熱することにより、輝度が低下したり、関連部材が破損したりするのが防止される。
【０００３】
また、一般に、灯体は、灯具に接合される本体と放熱器とが一体に固定されるため、本体内部に配置された回路素子または外部の部材が破損したとき、灯体全体を交換しなければならず、資源およびコストが浪費されていた。従って、放熱機構を簡単に、迅速に、安定的にＬＥＤの灯体に接合すると同時に、灯体の構成構造の経済的効果を高めることは、当業者および本考案の考案者が解決を目指す課題であった。
【０００４】
本考案の考案者は、従来技術の欠点に鑑み、研究を重ね、長年の努力の末、ついに、従来技術の欠点を改善できる本考案を案出した。
【先行技術文献】
【特許文献】
【０００５】
【特許文献１】特開２００７−２５８０３４号公報
【考案の概要】
【考案が解決しようとする課題】
【０００６】
本考案の第１の目的は、ＬＥＤ灯体のランプを簡単に、迅速に、安定的に放熱器上に接合できることにより、灯体の組立効率、使用効率および品質を向上させることができる放熱構造を有する灯体の構成構造を提供することにある。
本考案の第２の目的は、別々に製造された灯体本体と放熱器とを組み合せる構造により、構成部材のコストを低減することができる放熱構造を有する灯体の構成構造を提供することにある。
【課題を解決するための手段】
【０００７】
上述の課題を解決するために、本考案の放熱構造を有する灯体の構成構造は、本体、放熱器、ランプホルダ、ランプ、ランプシェード、透光板、固定リングなどの部材から構成され、放熱効果の高い。本体の内縁には、回路基板、電線などの電子素子が配置される。本体の一方の端部には、灯具に螺合接続される電極部が設けられる。本体の他方の端部には、雄ねじ山を有する螺合部が突設され、螺合部には、放熱器が接合される。放熱器の上端の中心には、嵌合孔が形成される。嵌合孔の内壁の適当な位置には、係合部が設けられる。係合部には、ランプホルダが嵌合固定される。放熱器の外周には、板状のフィンが複数配置される。各フィンの上端には、凹陥した位置決め部が形成され、環状に配列された位置決め部に、ランプシェードが固定される。ランプシェードの上端には、透光板および固定リングが配置される。放熱器の底端の本体に対応する内縁には、螺孔部が形成される。螺合部を螺孔部内に接合することにより、放熱器と本体とが接合固定される。ランプホルダの一方の端部には、ランプが固定され、他方の端部には、切欠溝が設けられる。ランプホルダの外周面の適当な位置には、環状溝部が設けられる。ランプホルダが嵌合孔内に嵌合されるとき、切欠溝により、ランプホルダが弾性収縮する上、環状溝部が係合部に嵌合されるため、ランプホルダと放熱器とを迅速に、安定的に接合することができる。また、本考案の灯体は、別々に製造された本体と放熱器とが一体に螺合される構造により、部材を簡単に交換することができるため、資源コストが浪費されるのが防止される。さらに、ＬＥＤランプを簡単に、迅速に、安定的に放熱器上に接合することができるため、灯体の組立効率、使用効率および品質を向上させることができる。
本考案は下記の特徴を有する。
（１）本体を含み、前記本体の上端には、放熱器が配置され、前記放熱器の上端には、ランプホルダを介してランプが接合され、
前記放熱器の上端の中心位置には、嵌合孔が形成され、前記嵌合孔の内壁の適当な位置には、係合部が設けられ、前記係合部には、前記ランプホルダが嵌合固定され、前記ランプホルダの一方の端部には、前記ランプが固定され、前記ランプホルダの他方の端部には、切欠溝が設けられ、前記ランプホルダの外周面の適当な位置には、環状溝部が設けられ、前記ランプホルダが前記嵌合孔内に接合されるとき、前記切欠溝により、前記ランプホルダが弾性収縮する上、前記環状溝部が前記係合部の位置に嵌合されることにより、迅速に、安定的に接合されることを特徴とする放熱構造を有する灯体の構成構造。
（２）前記本体と前記放熱器とは、螺合方式により、一体に接合され、前記本体の一方の端部には、螺合部が突設され、前記放熱器の前記螺合部に対応する一方の端部の内縁には、螺孔部が形成され、前記螺合部が前記螺孔部内に接合されることにより、前記本体と、前記放熱器とが接合固定されることを特徴とする（１）記載の放熱構造を有する灯体の構成構造。
（３）前記放熱器の外周には、複数のフィンが環状に配置され、前記各フィンの上端には、凹陥した位置決め部が形成され、環状に配列された前記位置決め部に前記ランプシェードが固定され、前記ランプシェードの上端に透光板および固定リングが配置されることにより、灯体が構成されることを特徴とする（１）記載の放熱構造を有する灯体の構成構造。
【考案の効果】
【０００８】
ランプホルダが嵌合孔内に嵌合されるとき、切欠溝により、ランプホルダが弾性収縮する上、環状溝部が係合部に嵌合されるため、ランプホルダと放熱器とを迅速に、安定的に接合させることができる。また、本考案の灯体は、別々に製造された本体と放熱器とが一体に螺合される構造により、部材を簡単に交換することができるため、資源コストが浪費されるのが防止される。さらに、ＬＥＤランプを簡単に、迅速に、安定的に放熱器上に接合することができるため、灯体の組立、使用効率および品質を向上させることができる。
【図面の簡単な説明】
【０００９】
【図１】本考案の一実施形態による灯体を示す斜視図である。
【図２】本考案の一実施形態による灯体を示す分解斜視図である。
【図３】本考案の一実施形態による灯体を示す断面図である。
【考案を実施するための形態】
【００１０】
本考案の目的、特徴および効果を示す実施形態を図面に沿って詳細に説明する。
【００１１】
図１〜図３を参照する。図１〜図３に示すように、本考案の放熱構造を有する灯体の構成構造は、灯体１を含む。灯体１は、本体１０、放熱器２０、ランプホルダ３０、ランプ４０、ランプシェード５０、透光板６０、固定リング７０などの部材が組み立てられて構成される。
【００１２】
本体１０は、一方の端部に、灯具に螺合される電極部１１が設けられ、他方の端部の内縁に、回路基板、電線などの電子素子（図示せず）が配置される。さらに、本体１０の他方の端部の外側には、雄ねじ山を有する螺合部１２が突設される。螺合部１２には、放熱器２０が接合される。
【００１３】
放熱器２０は、アルミニウムからなる円筒状の部材であり、外周には、複数のフィン２１が放射状に配列される。放熱器２０は、貫通構造になっている。放熱器２０の本体１０に対応する一方の端部の内縁には、螺孔部２２が形成される。螺合部１２を螺孔部２２内に接合することにより、放熱器２０と本体１０とが接合固定される。放熱器２０の他方の端部の外側には、嵌合孔２３が形成される。嵌合孔２３の内壁の適当な位置には、係合部２４が突設される。係合部２４には、ランプホルダ３０が嵌合固定される。各フィン２１は、板状構造であり、上端には、凹陥した位置決め部２１１が形成され、環状に配列された位置決め部２１１に、ランプシェード５０が固定される。
【００１４】
ランプホルダ３０は、円形ブロック状であり、貫通構造である。ランプホルダ３０の一方の端部には、ねじ孔３１が設けられ、ランプ４０が螺合固定される。ランプホルダ３０の他方の端部の適当な位置には、切欠溝３２が設けられ、その外周面は、円錐状であり、適当な位置に環状溝部３３が設けられる。ランプホルダ３０を嵌合孔２３内に嵌合するとき、切欠溝３２により、ランプホルダ３０が弾性収縮する上、環状溝部３３が係合部２４に嵌合されることにより、迅速に、安定的に接合することができる。
【００１５】
ランプ４０は、一般のＬＥＤチップである。ランプ４０は、ねじにより、ランプソケット４１上に螺合固定される。ランプソケット４１は、ランプホルダ３０のねじ孔３１に螺合固定される。ランプソケット４１の背面には、電線４２が接続される。電線４２の端縁には、電源接続部（図示せず）が配置される。電源接続部が本体４０の内縁の電子素子に電気的に接続されることにより、通電される。
【００１６】
ランプシェード５０は、円錐状の光反射体であり、放熱器２０の上端の位置決め部２１１上に固定される。ランプシェード５０の底端は、口径が小さい開口構造になっており、ランプホルダ３０の上端外周に当接され、ランプ４０の外周を被覆する。また、ランプシェード５０の上端の内部には、透光板６０が配置され、固定リング７０により、固定される。
【００１７】
本考案の一実施形態による灯体は、上述の部材から構成され、本体１０と放熱器２０とを螺合する方式で一体に接合することにより、灯体１の部材が破損したとき、破損した部材を簡単に交換できるため、資源コストの浪費を防止することができる。また、ランプホルダ３０が嵌合方式により、放熱器２０と接合される構造により、ランプ４０を簡単に、迅速に、安定的に放熱器２０上に接合することができ、灯体の組立効率、使用効率および品質を向上させることができる。
【００１８】
本考案は、同類の製品中において、極めて優れた進歩性および実用性を有する。また、国内外の資料および文献中において、同一の構造は見られない。
【００１９】
上述の実施形態は、本考案の例を説明したものである。従って、本考案の主旨を逸脱しない範囲における修飾または変更は、全て、本考案の範囲に含まれる。
【符号の説明】
【００２０】
１  灯体
１０  本体
１１  電極部
１２  螺合部
２０  放熱器
２１  フィン
２１１  位置決め部
２２  螺孔部
２３  嵌合孔
２４  係合部
３０  ランプホルダ
３１  ねじ孔
３２  切欠溝
３３  環状溝部
４０  ランプ
４１  ランプソケット
４２  電線
５０  ランプシェード
６０  透光板
７０  固定リング
【図１】
0003157583.tif 000003
【図２】
0003157583.tif 000004
【図３】
0003157583.tif 000005
【手続補正書】
【提出日】平成21年12月4日(2009.12.4)
【手続補正１】
【補正対象書類名】実用新案登録請求の範囲
【補正対象項目名】請求項３
【補正方法】変更
【補正の内容】
【請求項３】
前記放熱器の外周には、複数のフィンが環状に配置され、前記各フィンの上端には、凹陥した位置決め部が形成され、環状に配列された前記位置決め部にランプシェードが固定され、前記ランプシェードの上端に透光板および固定リングが配置されることにより、灯体が構成されることを特徴とする請求項１記載の放熱構造を有する灯体の構成構造。